(57)【要約】【課題】  防火防音被覆カバー同士の継目部分の防音性及び防火性の向上を図った防火防音巻装具を提供する点にある。【解決手段】  配管１に外嵌された筒状の防火防音被覆カバー２，２同士の継目部分Ｂの外周に巻回可能な長さを有する防火性及び防音性に優れた防火防音体４と、この防火防音体４を防火防音被覆カバー２，２同士の継目部分Ｂに巻回状態に保持可能な巻着手段３Ａとを備える。【選択図】        図１
2007078162.tif 000002
【特許請求の範囲】
【請求項１】
配管に外嵌された筒状の防火防音被覆カバー同士の継目部分の外周に巻回可能な長さを有する防火性及び防音性に優れた防火防音体と、この防火防音体を防火防音被覆カバー同士の継目部分に巻回状態に保持可能な巻着手段とを備える防火防音巻装具。
【請求項２】
前記防火防音体が、少なくとも、グラスウールを主体とする防火吸音層と、アスファルト改質材を主体とする防火遮音層を積層して形成されている請求項１記載の防火防音巻装具。
【請求項３】
前記巻着手段が、接着層を備える接着テープから構成されている請求項１、２又は３記載の防火防音巻装具。
【請求項４】
前記防火防音体の防火遮音層が接着テープ側に設けられ、これに積層状態に防火防音体の防火吸音層が設けられている請求項３記載の防火防音巻装体。
【請求項５】
前記防火防音体が、該防火防音体の長さ及び幅よりも大寸の接着テープの略中央に位置して設けられている請求項１、２、３又は４記載の防火防音巻装具。
【請求項６】
前記巻着手段が、防火防音体の巻内面側に設けられた貼着層から構成されている請求項１、２，３，４又は５記載の防火防音巻装具。
【請求項７】
前記巻着手段が、防火遮音体の周長さより大きな巻装体と、この巻装体の一端とこれに巻回状態で重なり合う他端との対面間に接合手段を設けて構成されている請求項１〜５のいずれか１項に記載の防火防音巻装具。
【請求項８】
前記接合手段が、巻装体の一端部分と、これに重なり合う他端部分の何れか一方に係止受部を設け、何れか他方に係止受部と係合自在な係止部を設けて構成されている請求項７記載の防火防音巻装具。
【請求項９】
前記係止受部が、面ファスナーの雌ファスナー又は雄ファスナーの何れか一方から形成され、前記係止部が、面ファスナーの雌ファスナー又は雄ファスナーの何れか他方から形成されている請求項８記載の防火防音巻装具。
【請求項１０】
前記接合手段が、弾性変形が可能な金属薄板によって巻装体が形成され、この巻装体における一端部分かこれに重なる他端部分の何れか一方に雌ネジが形成され、何れか他方にネジ挿通孔が形成され、ネジ挿通孔を通して雌ネジに螺合して巻装体の一端部分と他端部分を接合可能な止めネジを備えて構成されている請求項７記載の防火防音巻装具。
【発明の詳細な説明】
【技術分野】
【０００１】
本発明は、防火防音巻装具に関し、詳しくは、配管に外嵌された防火防音被覆カバー同士の継目部分に沿って、巻着可能な巻装帯体を備える防火防音巻装具に関する。
【背景技術】
【０００２】
建屋の下水配管等においては、鋳鉄管に替わり塩化ビニル等の合成樹脂管等の管特性や配管施工性に優れた管が多く用いられているとともに、このような管による配管に、万が一の火災に遭遇するようなことがあっても、管が焼失して延焼して行くことを阻止する工夫がなされていることと、下水の流れに起因して生じる騒音等の音を外部に漏れ出ない工夫がなされている。
具体的には、配管に対して、防火材と防音材とを含有する筒状の被覆カバーを外嵌状態に被覆することによって、配管に防火性と防音性を備えることができるものが開発されている（例えば、特許文献１を参照）。
従来、このような用被覆カバーにおいて、配管に外嵌された防火防音被覆カバー同士の継目部分には、継目隠しをするために一般的な接着テープを巻装することが行われている。
【０００３】
【特許文献１】特開平１０−９６４９６号公報（第４頁、図３）
【発明の開示】
【発明が解決しようとする課題】
【０００４】
しかしながら、このような継目処理では、継目部分から音の漏れを生じ、配管を被覆している他の防火防音被覆カバー部分に比べて、防音効果が劣る問題がある。
また、防火防音被覆カバーは、施工現場において長さ合わせの切断処理がなされるので、長さ精度にバラツキが出やすく、短めに切断された場合では、継目部分に隙間を生じて、より防音効果が低減する問題がある。
しかも、配管自体が塩化ビニル管等の合成樹脂管であるような場合、僅かな隙間であってもその部分に火災加熱が集中して配管の防火品質を低下させてしまう問題がある。
本発明は上記の事情に鑑みてなされたものであり、その目的とするところは、防火防音被覆カバー同士の継目部分の防音性及び防火性の向上を図った防火防音巻装具を提供する点にある。
【課題を解決するための手段】
【０００５】
本発明の第１番目の防火防音巻装具の特徴構成は、配管に外嵌された筒状の防火防音被覆カバー同士の継目部分の外周に巻回可能な長さを有する防火性及び防音性に優れた防火防音体と、この防火防音体を防火防音被覆カバー同士の継目部分に巻回状態に保持可能な巻着手段とを備える点にある。
【０００６】
上記特徴構成によれば、防火防音被覆カバー同士の継目部分に、巻着手段を介して防火防音体を巻回することによって、防火防音被覆カバー同士の継目部分が防火防音体によって目隠し状態に覆われることによって、継目部分から漏れ出る配管側からの音が外部に漏れ出るのを防止することができるとともに、万が一の火災に遭遇することがあっても、火災加熱が継目部分から直接に管におよぶことを防ぐことができる。
【０００７】
従って、被覆カバー同士の継目部分の防音性及び防火性の向上を図ることができ、信頼性の高い配管を形成することができる。
【０００８】
本発明の第２番目の防火防音巻装具の特徴構成は、前記防火防音体が、すくなくとも、グラスウールを主体とする防火吸音層と、アスファルト改質材を主体とする防火遮音層を積層して形成されている点にある。
【０００９】
上記特徴構成によれば、防火吸音層によって、防火と配管側から漏れ出る音を吸音するとともに、防火遮音層によって、防火と配管側から漏れ出る音を遮音することができる。
【００１０】
従って、従来のように接着テープを継目部分に巻着するものに比べて、配管側から漏れ出る音を吸音する吸音作用の層と、配管側から漏れ出る音を遮断する遮音作用の層とを、音の漏れ出る方向に沿って構築しているので、防火防音被覆カバー同士の継目部分の防音性及び防火性の向上を図ることができる。
【００１１】
本発明の第３番目の防火防音巻装具の特徴構成として、前記巻着手段が、接着層を備える接着テープから構成されている点にある。
【００１２】
上記特徴構成によれば、巻装体の巻着に伴って防火防音体を、防火防音被覆カバー同士の継目に沿って巻着することができる。
【００１３】
従って、防火防音被覆カバー同士の継目に対して、巻装体の巻装を簡単に行うことができるので、施工性の向上を図ることができる。
【００１４】
本発明の第４番目の防火防音巻装具の特徴構成として、前記防火防音体の防火遮音層が接着テープ側に設けられ、これに積層状態に防火防音体の防火吸音層が設けられている点にある。
【００１５】
上記特徴構成によれば、アスファルト改質材を主体とする防火遮音層は一体的な弾性変形が可能で保型性があるが、グラスウールを主体とする防火吸音層は綿状で保型性に乏しいので、接着テープ側に保型性のある防火遮音層を設けることによって、防火防音被覆カバー同士の継目部分に対する接着テープの巻装に防火遮音層が剥がれない状態で追従させることが可能となる。
【００１６】
従って、防火防音被覆カバー同士の継目部分に、接着テープと防火防音体の一体性を崩さず巻着可能であるので、使い勝手がよく取扱い品質の向上を図ることができる。
【００１７】
本発明の第５番目の防火防音巻装具の特徴構成として、前記防火防音体が、該防火防音体の長さ及び幅よりも大寸の接着テープの略中央に位置して設けられている点にある。
【００１８】
上記特徴構成によれば、防火防音被覆カバー同士の継目部分に、接着テープの両端部分及び両側部分の接着層を介して防火防音体を巻着することによって、防火防音被覆カバー同士の継目部分が防火防音体によって目隠し状態に被覆することができるとともに、防火防音被覆カバー同士の継目部分に防火防音体を接着テープによって覆い隠す状態にすることができる。
【００１９】
従って、防火防音被覆カバー同士の継目部分に防火防音体が簡単に剥がれ落ちたりするようなことがない確実な保持状態を形成することができ、被覆品質の向上を図ることができる。
【００２０】
本発明の第６番目の防火防音巻装具の特徴構成として、前記巻着手段が、防火防音体の巻内面側に設けられた貼着層から構成されている点にある。
【００２１】
上記特徴構成によれば、防火防音体に貼着層を設けるといった簡単な接着構造によって、防火防音被覆カバー同士の継目部分に貼着層を貼着しながら防火防音体を巻回することによって、防火防音被覆カバー同士の継目に沿って防火防音巻装具を巻着することができる。
【００２２】
従って、必要限の簡素な接着構成によって防火防音巻装具を形成することができるので、製作が簡単で、コスト性が安価な利点を有する。
【００２３】
本発明の第７番目の防火防音巻装具の特徴構成は、前記巻着手段が、防火遮音体の周長さより大きな巻装体と、この巻装体の一端とこれに巻回状態で重なり合う他端との対面間に接合手段を設けて構成されている点にある。
【００２４】
上記特徴構成によれば、防火防音被覆カバー同士の継目に沿って、巻装体を巻装して、巻装体の一端部分と、これに重なり合う他端部分を接合手段によって接合することによって、防火防音被覆カバー同士の継目を防火防音巻装具によって目隠し状態に巻着することができる。
【００２５】
従って、防火防音被覆カバー同士の継目に対して、巻装体の巻装を操作性よく行うことができるので、施工性の向上を図ることができる。
【００２６】
本発明の第８番目の防火防音巻装具の特徴構成は、前記接合手段が、巻装体の一端部分と、これに重なり合う他端部分の何れか一方に係止受部を設け、何れか他方に係止受部と係脱自在な係止部を設けて構成されている点にある。
【００２７】
上記特徴構成によれば、防火防音被覆カバー同士の継目に沿って巻装体を巻回し、一端部分に設けられた係止受部又は係止部の何れか一方に、他端部分に設けられた係止受部又は係止部の何れか他方を接合することによって、防火防音被覆カバー同士の継目に沿って巻装体を巻着することができる。
【００２８】
従って、防火防音被覆カバー同士の継目に対する巻装体の巻着を操作性よく行うことができるので、巻装位置の調整作業や巻装のやり直し作業等を能率良く実施することができ、施工性の向上を図ることができる。
【００２９】
本発明の第９番目の防火防音巻装具の特徴構成は、前記係止受部が、面ファスナーの雌ファスナー又は雄ファスナーの何れか一方から形成され、前記係止部が、面ファスナーの雌ファスナー又は雄ファスナーの何れか他方から形成されている点にある。
【００３０】
上記特徴構成によれば、防火防音被覆カバー同士の継目に沿って巻装体を巻回し、一端部分に設けられた面ファスナーの雄ファスナーか雌ファスナーの何れか一方に、他端部分に設けられた面ファスナーの雄ファスナーか雌ファスナーの何れか他方を接合することによって、防火防音被覆カバー同士の継目に沿って巻装体を巻着することができ、防火防音被覆カバー同士の継目部分が防火防音体によって被覆状態にすることができる。
【００３１】
従って、防火防音被覆カバー同士の継目に対する巻装体の巻着を簡単に行うことができるとともに、面ファスナーを用いているので雄ファスナーと雌ファスナーとの係脱が自在であるので、巻装位置の調整作業や巻装のやり直し作業等を能率良く実施することができ、施工性の向上を図ることができる。
【００３２】
本発明の第１０番目の防火防音巻装具の特徴構成は、前記接合手段が、弾性変形が可能な金属薄板によって巻装体が形成され、この巻装体における一端部分又は他端部分の何れか一方に雌ネジが形成され、一端部分又は他端部分の何れか他方にネジ挿通孔が形成され、ネジ挿通孔を通して雌ネジに螺合して巻装体の一端部分と他端部分を接合可能な止めネジを備えて構成されている点にある。
【００３３】
上記特徴構成によれば、防火防音被覆カバー同士の継目に沿って巻回し、一端部分又は他端部分の雌ネジに、一端部分又は他端部分の何れか他方のネジ挿通孔を対応させた重ね合せた状態で、止めネジをネジ挿通孔から雌ネジに螺合することによって、防火防音被覆カバー同士の継目に沿って巻装体を巻装することができる。
【００３４】
従って、防火防音被覆カバー同士の継目に対する巻装体の巻着を作業性よく行うことができるので、施工性の向上を図ることができる。
【発明を実施するための最良の形態】
【００３５】
以下、本発明を適用した防火防音巻装具を図面に基づいて説明する。
【００３６】
〔第１実施形態〕
この第１実施形態においては、防火防音巻装具Ａに一例を図面に基づいて説明する。
【００３７】
この実施形態は、図１に示すように、直管状の配管１に外嵌した防火遮音カバー２，２同士の継目部分Ｂに本発明の防火防音巻装具Ａを巻着する例を説明する。
対象となる配管１としては、例えば、排水用硬質塩化ビニル管、水道用硬質塩化ビニル管、耐熱性硬質塩化ビニル管等の流体配管系に用いられる管が挙げられる。
【００３８】
この防火防音巻装具Ａは、図１〜図４に示すように、配管１に外嵌された筒状の防火防音被覆カバー２，２同士の継目部分Ｂの外周に巻回可能な長さを有する防火性及び防音性に優れた防火防音体４と、この防火防音体４を防火防音被覆カバー２，２同士の継目部分Ｂに巻回状態に保持可能な巻着手段３Ａとを備える。
【００３９】
前記巻着手段３Ａは、例えば、ポリプロピレンフィルムに綿編み地を接合したテープ地３Ａａに、難燃性のあるブチルゴム等の粘着剤層３Ａｂを設けたゴム系の接着テープから構成され、前記防火防音体４は、少なくとも、グラスウールを主体とする防火・吸音層５と、アスファルト改質材を主体とする防火遮音層６を、接着剤を介して積層状態に接合して形成されている。
【００４０】
この実施形態の防火防音巻装具Ａは、図１、図４に示すように、防火防音被覆カバー２，２同士の継目部分Ｂの周長さよりも長く、且つ、防火防音体４の幅よりも大寸に形成された平面長方形状の巻装テープ３Ａの中央部分に、両端部分１Ａｃ，１Ａｄと両側部分といった周縁部に粘着剤層３Ａｂが露出する状態に、防火防音被覆カバー２，２同士の継目部分Ｂの周長さに対応する長さの長方立方体形状の防火防音体４が貼着されて形成されている。ここで、図示しないが、巻着手段である巻着テープ３Ａの周縁部の露出する粘着剤層３Ａｂに剥離紙を予めに貼着しておき、使用に際して剥離紙を剥がして防火防音巻装具を使用する構成であってもよい。
【００４１】
前記防火吸音層５は、例えば、無機質繊維であるフェルト状に加工されたロックウールで吸音素材であるロックウールフェルトから構成され、前記防火遮音層６は、例えば、改質アスファルトに高比重フェラー（アルミナ、炭酸カルシウム、酸化チタン、酸化マグネシウム、酸化亜鉛、酸化鉄、タルク、バライト、グラファイト等のフェラー）を混合した遮音素材から構成された改質アスファルト合材層６Ａから構成されている。ここで、ロックウールフェルト、及び、改質アスファルト合材は、不燃性の防火素材である。
【００４２】
前記配管1に囲繞された防火防音被覆カバー２は、例えば、図２に示すように、内方側に防火吸音層８、外方側に防火遮音層９が設けられた２層構造のものであり、この実施形態においては、防火吸音層８は、例えば、無機質繊維であるフェルト状に加工されたグラスウールを用いたグラスウールフェルト層８Ａと、これの外周側に接合された合成樹脂不織布層８Ｂから構成され、防火遮音層９は、改質アスファルトに高比重フェラー（アルミナ、炭酸カルシウム、酸化チタン、酸化マグネシウム、酸化亜鉛、酸化鉄、タルク、バライト、グラファイト等のフェラー）を混合した改質アスファルト合材層９Ａと、これの外周側に接合された合成樹脂不織布層９Ｂから構成されている。ここで、ガラスウールフェルト、及び、改質アスファルト合材は、不燃性の防火素材である。
【００４３】
前記防火防音巻装具Ａ及び防火防音被覆カバー２には、素材構成に吸音素材として無機質繊維（ロックウール、グラスウール）フェルトを使用しており、可聴周波数成分が高くなればなる程、吸音率が高くなる吸音性能を有している。
【００４４】
このような構成であれば、配管に外嵌された防火防音被覆カバー２，２同士の継目部分Ｂに沿って、巻装テープ３Ａの一端部分３Ａｃの接着に続いて、防火防音体４を継目部分Ｂに対応位置させながら巻装テープ３Ａを巻装しながら両側部分３Ａｄを接着して、巻装テープ３Ａの他端部分３Ａｃを重ねて接着することによって、防火防音被覆カバー２，２同士の継目部分Ｂを防火防音体４によって目隠し状態に被覆することができる。
【００４５】
このことによって、継目部分Ｂから漏れ出る配管１側からの音が外部に漏れ出るのを阻止することができるとともに、万が一の火災に遭遇することがあっても、火災加熱が継目部分Ｂに直接およぶことを防ぐことができる。
【００４６】
〔第２実施形態〕
この第２実施形態の防火防音巻装具Ａは、上記第１実施形態と異なる点を説明し、同様箇所には同符号を附してその詳細は省略する。
【００４７】
この第２実施形態の防火防音巻装具Ａは、図５、図６に示すように、前記巻着手段３Ｂが、防火防音体４の巻内面側にアクリル系やブチルゴム系の粘着剤が塗設された貼着層から構成されている。
【００４８】
この実施形態の防火防音体４は、継目部分Ｂの周長さと略同じ長さに形成され、第１実施形態のものよりも幅広に形成して、接着性を高めてある。
【００４９】
巻着手段３Ｂとしては、上記以外のものとして、一面側の粘着層を介して防火防音体４の一面に両面テープを貼着し、このテープ他面側の粘着層から構成するものであってもよく、この場合、使用に際してテープ他面側に予めに貼着されている剥離紙を剥がして使用することができるので取扱い性がよい。
【００５０】
このような構成であれば、防火防音被覆カバー２，２同士の継目部分Ｂに貼着層３Ｂを貼着しながら巻層することによって、防火防音被覆カバー２，２同士の継目部分Ｂに沿って防火防音巻装具Ａを巻着することができる。
【００５１】
〔第３実施形態〕
この第３実施形態の防火防音巻装具Ａは、上記第１実施形態と異なる点を説明し、同様箇所には同符号を附してその詳細は省略する。
【００５２】
この第３実施形態の防火防音巻装具Ａは、例えば、図７、図８に示すように、防火防音被覆カバー２，２同士の継目部分Ｂの周長さよりも長い平面長方形状の巻装体である巻装シート１０の中央部分に、防火防音被覆カバー２，２同士の継目部分Ｂの周長さに対応する長さの長方立方体形状の防火防音体４が接着剤を介して貼着され、巻装シート１０における一端部分１０ａと、これに重なり合う他部分１０ａの間に、防火防音被覆カバー２，２同士の継目部分Ｂに沿って巻装体１０を巻着する接合手段１２が設けられて構成されている。
【００５３】
前記接合手段１２は、巻装シート１０の一端部分に設けられた面ファスナー１１の雄ファスナー１１Ａか雌ファスナー１１Ｂの何れか一方が設けられ、巻装シート１０の他端部分に設けられた面ファスナー１１の雄ファスナー１１Ａか雌ファスナー１１Ｂの何れか他方が設けられてなる。
【００５４】
この実施形態においては、接合手段１２に巻装シート１０を加えて巻着手段３Ｃが構成されている。
【００５５】
前記巻装シート１０は、弾性変形可能な合成樹脂、金属薄板、布、不織布等から形成されている。
【００５６】
このような構成であれば、防火防音被覆カバー２，２同士の継目部分Ｂに沿って巻装シート１０を巻装した状態で、両ファスナー１１Ａ，１１Ｂを接合することによって、防火防音被覆カバー２，２同士の継目部分Ｂに防火防音巻装具Ａを巻着することができる。
【００５７】
〔第４実施形態〕
この第４実施形態の防火防音巻装具Ａは、上記第１実施形態と異なる点を説明し、同様箇所には同符号を附してその詳細は省略する。
【００５８】
この第４実施形態の防火防音巻装具Ａは、図９、図１０に示すように、例えば、弾性変形が可能な亜鉛メッキ鋼板等の金属薄板から形成された巻装体１３における一端部分と、これに重なり合う他端部分の間に、防火防音被覆カバー２，２同士の継目部分Ｂに沿って巻装体１３を巻着する接合手段１２が設けられている。
【００５９】
具体的には、例えば、巻装体１３における一端部分１３ａか他端部分１３ａの何れか一方にバーリング加工されたネジ受け孔１４Ａが形成され、何れか他方にネジ挿通孔１４Ｂが形成され、ネジ挿通孔１４Ｂを通してネジ受け孔１４Ａに螺合して巻装体１３の一端部分と他端部分を接合可能なタップネジからなる止めネジ１５を備えて接合手段１２が構成されている。この接合手段１２に巻装体１３を加えて巻着手段３Ｄが構成されている。
【００６０】
この実施形態では、防火防音体４の長さが、防火防音被覆カバー２，２同士の継目部分Ｂの周長さに設定され、巻装体１３がそれよりも長さが長く設定され、一端部分１３ａと重なる他端部分１３ａが、防火防音体４から張り出す構造になっており、防火防音被覆カバー２，２同士の継目部分Ｂに沿って巻回し、一端部分１３ａのネジ受け孔１４Ａに、他端部分１３ａのネジ挿通孔１４Ｂを対応させた重ね合せた状態で、止めネジ１５をネジ挿通孔１４Ｂからネジ受け孔１４Ａに螺合することによって、防火防音被覆カバー２，２同士の継目に沿って防火防音巻装具Ａを巻着することができる。
【００６１】
尚、この第３，４実施形態の接合手段以外に、図示しないが、配管に外嵌された防火防音被覆カバー同士の継目部分に沿って、弾性変形によって巻装可能な金属薄板から巻装体が形成され、この巻装体における一端部分に係脱関係にある係止爪又は係止爪受けの何れか一方が形成され、これに重なり合う他端部分に係脱関係にある係止爪又は係止爪受けの何れか他方が形成されて、係止爪を係止受けに係合することによって、防火防音被覆カバー同士の継目に沿って防火防音巻装具を巻着することができるものであってもよい。
【００６２】
［別実施形態］
１）  上記各実施形態では、防火防音体４が長方立方体形状に形成されて、その両端が外角状の段差となっているものについて説明したが、本発明はこれに限らず、図１１、図１２に示すように、その両端４Ａ，４Ａが長手方向外方に向うに従って肉厚を減少するテーパー形状に形成されるものであってもよい。
この場合、防火防音体４における一端部４Ａに、防火防音体４における他端部４Ａがテーパーの勾配方向が逆方向で重なり、他の防火防音体４部分の肉厚と略同じ厚さに形成することができ、防火防音巻装具Ａの巻着仕上がりを綺麗にすることができる。
【００６３】
尚、上記実施形態と同様構成部分には同符号を附してその詳細は省略する。
【図面の簡単な説明】
【００６４】
【図１】配管に外嵌された筒状の防火防音被覆カバー同士の継目部分と第１実施形態の防火防音巻装具の関係を示す簡略斜視図
【図２】防火防音被覆カバー同士の継目部分に第１実施形態の防火防音巻装具を巻着した状態を示す側断面図
【図３】防火防音被覆カバー同士の継目部分に第１実施形態の防火防音巻装具を巻着した状態を示す正断面図
【図４】（イ）は防火防音巻装具の平面、（ロ）は防火防音巻装具の断面を示す説明図
【図５】配管に外嵌された筒状の防火防音被覆カバー同士の継目部分と第２実施形態の防火防音巻装具の関係を示す簡略斜視図
【図６】防火防音被覆カバー同士の継目部分に第２実施形態の防火防音巻装具を巻着した状態を示す側断面図
【図７】配管に外嵌された筒状の防火防音被覆カバー同士の継目部分と第３実施形態の防火防音巻装具の関係を示す簡略斜視図
【図８】防火防音被覆カバー同士の継目部分に第３実施形態の防火防音巻装具を巻着した状態を示す側断面図
【図９】配管に外嵌された筒状の防火防音被覆カバー同士の継目部分と第４実施形態の防火防音巻装具の関係を示す簡略斜視図
【図１０】防火防音被覆カバー同士の継目部分に第４実施形態の防火防音巻装具を巻着した状態を示す側断面図
【図１１】配管に外嵌された筒状の防火防音被覆カバー同士の継目部分と別実施形態の防火防音巻装具の関係を示す簡略斜視図
【図１２】防火防音被覆カバー同士の継目部分に別実施形態の防火防音巻装具を巻着した状態を示す側断面図
【符号の説明】
【００６５】
Ａ                防火防音巻装具
Ｂ                継目部分
１                配管
２                防火遮音カバー
３Ａ              巻着手段（巻着テープ）
３Ｂ              巻着手段（貼着層）
３Ｃ              巻着手段
３Ｄ              巻着手段
４                防火防音体
５                防火吸音層
６                防火遮音層
７                防火遮音被覆カバー
９                防火遮音層
１０              巻装体（巻層シート）
１１              面ファスナー
１１Ａ            雄ファスナー
１１Ｂ            雌ファスナー
１３              巻装体
１４Ａ            ネジ受け孔
１４Ｂ            ネジ挿通孔
１５              止めネジ
【図１】
2007078162.tif 000003
【図２】
2007078162.tif 000004
【図３】
2007078162.tif 000005
【図４】
2007078162.tif 000006
【図５】
2007078162.tif 000007
【図６】
2007078162.tif 000008
【図７】
2007078162.tif 000009
【図８】
2007078162.tif 000010
【図９】
2007078162.tif 000011
【図１０】
2007078162.tif 000012
【図１１】
2007078162.tif 000013
【図１２】
2007078162.tif 000014